(57)【要約】【課題】本発明は、使用する際に便利であり、美しい外観を有するタッチ式透明キーパッドを提供することを目的とする。【解決手段】本発明のタッチ式透明キーパッドは、タッチパネル、透明基板及び光源モジュールを備える。前記タッチパネルは前記透明基板に設けられ、前記光源モジュールは前記透明基板の端面に設けられ、前記透明基板には複数のキーアイコンが設けられる。前記光源モジュールから出射した光線が複数の前記キーアイコンに照射されると、複数の前記キーアイコンは前記タッチパネルを介して表示される。【選択図】図１
2011248863.tif 000002
【特許請求の範囲】
【請求項１】
タッチパネル、透明基板及び光源モジュールを備えるタッチ式透明キーパッドにおいて、
前記タッチパネルは前記透明基板に設けられ、前記光源モジュールは前記透明基板の端面に設けられ、前記透明基板には複数のキーアイコンが設けられ、前記光源モジュールから出射した光線が複数の前記キーアイコンに照射されると、複数の前記キーアイコンが前記タッチパネルを介して表示されることを特徴とするタッチ式透明キーパッド。
【請求項２】
前記光源モジュールは、収容長溝が設けられたライトカバー及び前記収容長溝内に収容される光源を備えることを特徴とする請求項１に記載のタッチ式透明キーパッド。
【請求項３】
前記透明基板の長手方向の両側には、２つの係合用切欠きが対称的に設けられ、前記収容長溝の両端にはそれぞれ１つの係合ピンが固定され、
前記係合ピンを前記係合用切欠きに嵌合することにより、前記ライトカバーを前記透明基板に固定することを特徴とする請求項１又は２に記載のタッチ式透明キーパッド。
【請求項４】
前記タッチ式透明キーパッドは、前記光源モジュールの下方に装着される支持モジュールをさらに備え、
前記支持モジュールには、互いに電気的に接続する電源回路基板及び制御回路基板が内蔵され、
前記電源回路基板は前記光源モジュールに電気的に接続され、前記制御回路基板は前記タッチパネルに電気的に接続されることを特徴とする請求項１〜３のいずれかに記載のタッチ式透明キーパッド。
【請求項５】
前記支持モジュールは、スリーブ、支持ブラケット及び前記スリーブの一端に固定されるノブを備え、
前記支持ブラケットが前記スリーブ内に収容され、前記電源回路基板及び前記制御回路基板は、それぞれ前記支持ブラケットの両端に装着され、
前記電源回路基板は棒状スイッチを有し、前記ノブは前記棒状スイッチを囲むように設けられ、
前記ノブが回動する際、前記棒状スイッチが連動して回動し、前記タッチ式透明キーパッドの電源の開閉を制御することを特徴とする請求項５に記載のタッチ式透明キーパッド。
【発明の詳細な説明】
【技術分野】
【０００１】
本発明は、タッチ式キーパッドに関し、特にタッチ式透明キーパッドに関するものである。
【背景技術】
【０００２】
キーパッドは、主要な入力デバイスとして、電子装置にとって不可欠な外接部品である。従来のキーパッドは、主にメカニカル式及びタッチ式に分けられる。この二種のキーパッドの押しボタン上の符号は、全てエッチング或いは印刷加工によって形成されるので、暗い環境或いは外界光線が弱い場所において使用する際に不便である。さらに、上記二種のキーパッドの外観は単調であり、消費者の電子装置に対する多様化したニーズを満たさない。
【発明の概要】
【発明が解決しようとする課題】
【０００３】
本発明は、上記の問題点を考慮してなされたものであり、使用する際に便利であり、美しい外観を有するタッチ式透明キーパッドを提供することを目的とする。
【課題を解決するための手段】
【０００４】
前記課題を解決するために、本発明に係るタッチ式透明キーパッドは、タッチパネル、透明基板及び光源モジュールを備える。前記タッチパネルは前記透明基板に設けられ、前記光源モジュールは前記透明基板の端面に設けられ、前記透明基板には複数のキーアイコンが設けられる。前記光源モジュールから出射した光線が複数の前記キーアイコンに照射されると、複数の前記キーアイコンは前記タッチパネルを介して表示される。
【発明の効果】
【０００５】
従来の技術と比較して、本発明のタッチ式透明キーパッドは、光源とキーアイコンとの組み合わせにより、キーアイコンの表示並びに非表示を実現し、暗い環境並びに光線が弱い場所においても使用する際に便利である。しかも、前記タッチ式透明キーパッドに通電しない場合は、全体が透明であり、美しい外観を備える。
【図面の簡単な説明】
【０００６】
【図１】本発明の実施形態に係るタッチ式透明キーパッドの分解図である。
【図２】図１に示したタッチ式透明キーパッドの別の角度からの分解図である。
【図３】図１に示したタッチ式透明キーパッドの光源の組立図である。
【図４】図１に示したタッチ式透明キーパッドの組立図である。
【発明を実施するための形態】
【０００７】
図１及び図２に示したように、本発明の実施形態に係るタッチ式透明キーパッド１００は、タッチパネル１０、透明基板３０、光源モジュール５０及び支持モジュール７０を備える。前記タッチパネル１０は前記透明基板３０上に配置され、前記光源モジュール５０は前記透明基板３０の端面に設けられ、前記支持モジュール７０は前記光源モジュール５０の下方に設けられる。前記支持モジュール７０には、互いに電気的に接続する電源回路基板９１及び制御回路基板９３が内蔵されている。
【０００８】
前記タッチパネル１０は、主体部１１及び前記主体部１１に電気的に接続されるフレキシブル回路基板（Ｆｌｅｘｉｂｌｅ  Ｐｒｉｎｔｅｄ  Ｃｉｒｃｕｉｔ  Ｂｏａｒｄ）１３を備える。前記主体部１１は、外部タッチ操作を感知して、タッチ位置信号を前記フレキシブル回路基板１３を介して前記制御回路基板９３に伝送する。
【０００９】
前記透明基板３０は、略矩形であり、ガラス或いは樹脂などの透明材料からなる。前記透明基板３０は、上面３１及び対向する２つの側面３２を含む。前記上面３１には、サンドブラスト或いは印刷加工により複数の透明なキーアイコン３５が形成される。実際の要求によって、前記キーアイコン３５は、アルファベット、漢字或いは平仮名などとすることができる。前記キーアイコン３５の形状及び配列も、実際の要求に基づいて任意に設計することができる。各々の側面３２の一端には、係合用切欠き３７が設けられており、２つの前記係合用切欠き３７は前記透明基板３０の長手方向の両側に対称的に設けられる。
【００１０】
前記光源モジュール５０は、ライトカバー５１及び光源５３を備える。前記ライトカバー５１は矩形であり、その側面には細長い収容長溝５１１が設けられる。前記光源５３は前記収容長溝５１１内に収容され、且つリード線を介して前記電源回路基板９１に電気的に接続する。前記収容長溝５１１の底部には、第一線孔５１３及び第一収容孔５１５が設けられている。前記収容長溝５１１の両端には、前記係合用切欠き３７に対応して、それぞれ１つの係合ピン５１７が設けられている。前記係合ピン５１７の高さは、前記収容長溝５１１の高さに一致する。本実施形態において、前記係合ピン５１７を直接に前記収容長溝５１１内へ緊密に嵌合することができる。なお、前記収容長溝５１１の両側にそれぞれ１つの凹所を設けて、２つの前記係合ピン５１７をそれぞれに固定してもよい。前記透明基板３０の前記係合用切欠き３７が設けられた一端を、前記収容長溝５１１に挿入すると、前記係合ピン５１７が前記係合用切欠き３７内に係止されるので、前記光源モジュール５０と前記透明基板３０とが互いに固定される。前記ライトカバー５１の底面には、１つの固定ピン５１２及び互いに離間する２つの係合リブ５１９が垂直に凸設される。前記係合リブ５１９は、略「エ」字状を呈して、前記光源モジュール５０を前記支持モジュール７０に固定するために用いられる。前記固定ピン５１２は、前記第一収容孔５１５の近傍に設けられる。
【００１１】
前記支持モジュール７０は、スリーブ７１、支持ブラケット７３、ロック部材７５及びノブ７７を備える。前記支持ブラケット７３全体が、前記スリーブ７１内に収容される。前記ロック部材７５及び前記ノブ７７は、それぞれ前記スリーブ７１の両端に設けられる。
【００１２】
前記スリーブ７１は、両端が開口した中空の円筒体である。前記スリーブ７１には、前記第一線孔５１３に対応する第二線孔７１１、前記第一収容孔５１５に対応する第二収容孔７１３、及び２つの前記係合リブ５１９に対応する２つの係合スロット７１５が設けられている。
【００１３】
前記支持ブラケット７３は、積載部７３１と、前記積載部７３１の両端からそれぞれ延在するＬ字状の第一取付アーム７３３と、Ｌ字状の第二取付アーム７３４と、を備える。前記電源回路基板９１が前記第一取付アーム７３３に装着され、前記制御回路基板９３が前記第二取付アーム７３４に装着される。前記第二取付アーム７３４の自由端には、Ｔ字状の凸塊７３７が設けられている。前記積載部７３１には、形状が前記係合リブ５１９と一致する細長い固定凹溝７３５が設けられている。
【００１４】
前記ロック部材７５は、一端が開口した円筒体であり、その内径は前記スリーブ７１の内径と等しい。前記ロック部材７５の外周壁には、前記固定ピン５１２を係合するための係合孔７５１及び前記ロック部材７５の開口に連通する切欠き７５３が設けられる。前記係合孔７５１と前記切欠き７５３とは、同一軸線上に位置する。前記ロック部材７５の内部には、Ｔ字状の凹溝７５７が開設された固定塊７５５が設けられる。前記凸塊７３７と前記凹溝７５７とを一体に係合することにより、前記ロック部材７５を前記支持ブラケット７３に固定する。前記切欠き７５３が存在するため、前記凸塊７３７を前記凹溝７５７内に容易に嵌合することができる。
【００１５】
前記ノブ７７は円筒体であり、その半径は前記スリーブ７１の半径と等しい。前記ノブ７７の閉鎖端の端面の中央部には、円孔７７１が設けられ、前記電源回路基板９１は、前記円孔７７１を貫く棒状スイッチ９１１を含む。前記ノブ７７は、前記円孔７７１及び前記棒状スイッチ９１１を介して前記電源回路基板９１に固定される。前記ノブ７７が回動する際に、前記棒状スイッチ９１１が連動して回動し、前記タッチ式透明キーパッド１００の電源の開閉を制御する。
【００１６】
以下、図１〜図４を参照しながら、本発明のタッチ式透明キーパッド１００の組立ステップについて詳細に説明する。
【００１７】
まず、前記タッチパネル１０を前記透明基板３０上に設けて、前記タッチパネル１０を前記透明基板３０に固定する。次に、前記電源回路基板９１及び前記制御回路基板９３をそれぞれ前記支持ブラケット７３の第一固定アーム７３３及び第二固定アーム７３４に装着した後に、前記支持ブラケット７３を前記スリーブ７１内に収納して、前記凸塊７３７及び前記棒状スイッチ９１１をそれぞれ前記スリーブ７１の両端から露出させる。次に、前記ライトカバー５１の係合リブ５１９を、前記スリーブ７１の係合スロット７１５を貫通して前記支持ブラケット７３の固定凹溝７３５に係止する。次に、前記光源５３のリード線を、前記第一線孔５１３及び前記第二線孔７１１を貫通して前記電源回路基板９１に電気的に接続する。次に、前記フレキシブル回路基板１３を、前記第一収容孔５１５及び前記第二収容孔７１３を貫通して前記制御回路基板９３に電気的に接続する。次に、前記透明基板３０の長手方向に沿う一端を前記収容長溝５１１内に挿入して、前記係合ピン５１７を前記係合用切欠き３７に嵌合して、前記透明基板３０を前記ライトカバー５１に固定する。次に、前記凸塊７３７を前記ロック部材７５の凹溝７５７に嵌入するとともに、前記ライトカバー５１の固定ピン５１２を前記ロック部材７５の係合孔７５１に係止して、前記ロック部材７５を前記スリーブ７１の一端に固定する。最後に、前記ノブ７７を、前記円孔７７１を介して前記棒状スイッチ９１１を囲むように設けて、前記ノブ７７を前記スリーブ７１の他端に固定する。これにより、前記タッチ式透明キーパッド１００の組立が完成する。
【００１８】
前記タッチ式透明キーパッド１００に通電しない場合、前記複数のキーアイコン３５は、全て透明である。前記タッチ式透明キーパッド１００に通電する場合、前記光源５３から出射する光線は、前記透明基板３０内に入射する。前記キーアイコン３５を照射しない光線は、前記透明基板３０の他側から直接に出射する。前記キーアイコン３５を照射する光線は乱反射される。この際、複数の前記キーアイコン３５は前記タッチパネル１０を介して表示されるので、ユーザーが前記タッチパネル１０をタッチすることにより、入力操作が実現される。前記タッチパネル１０をタッチすることにより発生した電気信号は、前記フレキシブル回路基板１３を介して前記制御回路基板９３に伝送される。前記制御回路基板９３の制御回路は、タッチされた位置を識別して、対応する指示信号を出力する。
【００１９】
本発明のタッチ式透明キーパッド１００は、有線式キーパッド或いは無線式キーパッドとすることができる。前記タッチ式透明キーパッド１００が有線式キーパッドである場合、リード線を設置して前記制御回路基板９３と外部表示装置とを電気的に接続すればよい。さらに、前記リード線を同時に前記電源回路基板９１に電気的に接続することにより、外部表示装置より前記タッチ式透明キーパッド１００へ給電することが可能となる。また、前記タッチ式透明キーパッド１００が無線式キーパッドである場合、前記制御回路基板９３に無線伝送モジュールを増設するとともに、外部表示装置に前記無線伝送モジュールに対応する無線受信装置を設置すればよい。
【００２０】
本発明のタッチ式透明キーパッド１００において、光源５３とキーアイコン３５との組み合わせにより、キーアイコンの表示並びに非表示を実現し、暗い環境並びに光線が弱い場所においても使用する際に便利である。しかも、前記タッチ式透明キーパッド１００に通電しない際は、全体が透明であり、美しい外観を備える。
【００２１】
また、複数の前記キーアイコン３５を前記透明基板３０の内部或いは底面に設けることができる。
【００２２】
また、前記電源回路基板９１に、前記光源５３に電気的に接続する照度調節回路を設けて、ユーザーの使用環境に応じて前記光源５３の照度を調節することができる。
【００２３】
また、前記電源回路基板９１に電池を装着して給電してもよい。或いは前記電源回路基板９１に電源接続線を設けて、それを外部電源に電気的に接続して給電してもよい。
【００２４】
また、前記タッチパネル１０は、静電容量式、抵抗膜式、表面超音波式或いは光学式等のタッチパネルとすることができる。
【００２５】
また、前記支持モジュール７０を省略して、前記電源回路基板９１及び前記制御回路基板９３を前記ライトカバー５１内に設置してもよい。好ましくは、前記光源５３は、ＬＥＤ（Ｌｉｇｈｔ  Ｅｍｉｔｔｉｎｇ  Ｄｉｏｄｅ）或いはＣＣＦＬ（Ｃｏｌｄ  Ｃａｔｈｏｄｅ  Ｆｌｕｏｒｅｓｃｅｎｔ  Ｌａｍｐ）等で構成される。
【００２６】
以上、本発明の好適な実施形態について詳細に説明したが、本発明は前記実施形態に限定されるものではなく、本発明の範囲内において種々の変形又は修正が可能であり、該変形又は修正も又、本発明の特許請求の範囲内に含まれるものであることは、いうまでもない。
【符号の説明】
【００２７】
１０        タッチパネル
１１        主体部
１３        フレキシブル回路基板
３０        透明基板
３１        上面
３２        側面
３５        キーアイコン
３７        係合用切欠き
５０        光源モジュール
５１        ライトカバー
５３        光源
７０        支持モジュール
７３        支持ブラケット
７７        ノブ
９１        電源回路基板
９３        制御回路基板
５１１      収容長溝
５１２      固定ピン
５１３      第一線孔
５１５      第一収容孔
５１７      係合ピン
５１９      係合リブ
７１１      第二線孔
７１３      第二収容孔
７１５      係合スロット
７３１      積載部
７３３      第一取付アーム
７３４      第二取付アーム
７３５      固定凹溝
７３７      凸塊
７５１      係合孔
７５３      切欠き
７５５      固定塊
７５７      「Ｔ」字型凹溝
７７１      円孔
９１１      棒状スイッチ
【図１】
2011248863.tif 000003
【図２】
2011248863.tif 000004
【図３】
2011248863.tif 000005
【図４】
2011248863.tif 000006